(57)【要約】【課題】電極間に発生する静電容量の変化に及ぼす分極現象の影響を最小化することで、活性領域の縁部におけるタッチ感度を向上させるタッチパネルを提供する。【解決手段】本発明によるタッチパネルは、活性領域と前記活性領域の外側の非活性領域とに区画される透明基板１００と、透明基板１００の一面の前記活性領域に形成される第１電極１１０と、透明基板１００の他面の前記活性領域に形成される第２電極１２０と、透明基板１００の一面の前記非活性領域に形成され、前記活性領域の縁に沿って形成される低誘電率膜２１０と、を含むものである。【選択図】図２
2014006860.tif 000002
【特許請求の範囲】
【請求項１】
活性領域と前記活性領域の外側の非活性領域とに区画される透明基板と、
前記透明基板の一面の前記活性領域に形成される第１電極と、
前記透明基板の他面の前記活性領域に形成される第２電極と、
前記透明基板の一面の前記非活性領域に形成され、前記活性領域の縁に沿って形成される低誘電率膜と、
を含むことを特徴とするタッチパネル。
【請求項２】
前記低誘電率膜は、有機性または無機性の素材からなることを特徴とする請求項１に記載のタッチパネル。
【請求項３】
前記有機性の素材は、ＤＶＳ−ＢＣＢ（Ｄｉｖｉｎｙｌ  ｓｉｌｏｘａｎｅ  ｂｉｓｚｏｃｙｌｃｌｏｂｕｔｅｎｅ  ＢｅｎｚｏＣｙｃｌｏＢｕｔｅｎｅ）、ＰＦＣＢ（Ｐｅｒｆｌｕｏｒｏ  ｃｙｃｌｏｂｕｔａｎｅ）及びＳｉＬＫから選択される何れか一つを含むことを特徴とする請求項２に記載のタッチパネル。
【請求項４】
前記無機性の素材は、Ｂｌａｃｋ  Ｄｉａｍｏｎｄ、ＣＯＲＡＬ及びＡＵＲＯＲＡから選択される何れか一つを含むことを特徴とする請求項２に記載のタッチパネル。
【請求項５】
前記低誘電率膜の誘電定数（ｋ）は、１〜３の範囲を有することを特徴とする請求項１に記載のタッチパネル。
【請求項６】
前記透明基板の一面の前記活性領域に積層される接着層をさらに含むことを特徴とする請求項１に記載のタッチパネル。
【請求項７】
前記低誘電率膜と前記接着層は、同一のレイヤーとして形成されることを特徴とする請求項６に記載のタッチパネル。
【請求項８】
前記接着層は、光学透明接着剤（Ｏｐｔｉｃａｌ  Ｃｌｅａｒ  Ａｄｈｅｓｉｖｅ；ＯＣＡ）であることを特徴とする請求項６に記載のタッチパネル。
【請求項９】
前記接着層に付着されるウィンドウガラス（ｗｉｎｄｏｗ  ｇｌａｓｓ）をさらに含むことを特徴とする請求項６に記載のタッチパネル。
【請求項１０】
活性領域と前記活性領域の外側の非活性領域とに区画される透明基板と、
前記透明基板の一面の前記活性領域に形成される第１電極及び第２電極と、
前記透明基板の一面の前記非活性領域に形成され、前記活性領域の縁に沿って形成される低誘電率膜と、
を含むことを特徴とするタッチパネル。
【請求項１１】
前記低誘電率膜は、有機性または無機性の素材からなることを特徴とする請求項１０に記載のタッチパネル。
【請求項１２】
前記有機性の素材は、ＤＶＳ−ＢＣＢ（Ｄｉｖｉｎｙｌ  ｓｉｌｏｘａｎｅ  ｂｉｓｚｏｃｙｌｃｌｏｂｕｔｅｎｅ  ＢｅｎｚｏＣｙｃｌｏＢｕｔｅｎｅ）、ＰＦＣＢ（Ｐｅｒｆｌｕｏｒｏ  ｃｙｃｌｏｂｕｔａｎｅ）及びＳｉＬＫから選択される何れか一つを含むことを特徴とする請求項１１に記載のタッチパネル。
【請求項１３】
前記無機性の素材は、Ｂｌａｃｋ  Ｄｉａｍｏｎｄ、ＣＯＲＡＬ及びＡＵＲＯＲＡから選択される何れか一つを含むことを特徴とする請求項１１に記載のタッチパネル。
【請求項１４】
前記低誘電率膜の誘電定数（ｋ）は、１〜３の範囲を有することを特徴とする請求項１０に記載のタッチパネル。
【請求項１５】
前記透明基板の一面の前記活性領域に積層される接着層をさらに含むことを特徴とする請求項１０に記載のタッチパネル。
【請求項１６】
前記低誘電率膜と前記接着層は、同一のレイヤーとして形成されることを特徴とする請求項１５に記載のタッチパネル。
【請求項１７】
前記接着層は、光学透明接着剤（Ｏｐｔｉｃａｌ  Ｃｌｅａｒ  Ａｄｈｅｓｉｖｅ；ＯＣＡ）であることを特徴とする請求項１５に記載のタッチパネル。
【請求項１８】
前記透明基板は、ウィンドウガラス（ｗｉｎｄｏｗ  ｇｌａｓｓ）であることを特徴とする請求項１０に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、ポータブル伝送装置、その他の個人用の情報処理装置などは、キーボード、マウスなどの様々な入力装置（Ｉｎｐｕｔ  Ｄｅｖｉｃｅ）を用いてテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置としてタッチパネル（Ｔｏｕｃｈ  Ｐａｎｅｌ）が開発された。
【０００５】
タッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような様々な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在最も幅広い分野で用いられている方式は、抵抗膜方式及び静電容量方式のタッチパネルである。
【０００７】
従来の静電容量方式タッチパネルの一例として、特許文献１に開示されたタッチパネルが挙げられる。特許文献１に開示されたタッチパネルは、透明基板上の活性領域に二軸方向を有すると共に互いに交差する駆動電極と検知電極が形成されている。また、透明基板上の非活性領域に、前記電極に連結される電極配線を形成している。
【０００８】
このようなタッチパネルは、駆動電極と検知電極の静電容量カップリング（ｃａｐａｃｉｔｉｖｅ  ｃｏｕｐｌｉｎｇ）で発生する信号の変化を検知してユーザによるタッチを認識する。
【０００９】
しかし、従来のタッチパネルは、電極が形成される活性領域の縁部、即ち、特許文献１で開示されたように活性領域が四角形領域に区画される場合、前記四角形領域のエッジ部及び辺部で信号の変化を検知することができる検知領域、即ち、静電容量カップリング現象が発生する領域が減少する。
【００１０】
特に、特許文献１で開示されたように、電極がダイヤモンドパターンに形成される場合、活性領域のエッジ部の前記検知領域は１／４程度に減少する。
【００１１】
これにより、従来のタッチパネルは、活性領域の縁部でタッチ感度が低下するという問題を有する。
【００１２】
従来のタッチパネルは、これを改善するために、活性領域上の電極が非活性領域にまで延長形成されることもある。しかし、この場合、タッチパネルの非活性領域が拡張されることでタッチパネルの大きさが増加したり、または、所定の大きさを有するタッチパネルにおいて視覚的に認識される活性領域が縮小されるという問題を伴う。
【先行技術文献】
【特許文献】
【００１３】
【特許文献１】韓国公開特許第１０−２０１１−０１２０１５７号公報
【発明の概要】
【発明が解決しようとする課題】
【００１４】
本発明は、前記従来技術の問題点を解決するためのものであり、電極が非活性領域にまで延長形成されなくても、タッチパネル活性領域の縁部におけるタッチ感度が向上するタッチパネルを提供することを目的とする。
【課題を解決するための手段】
【００１５】
本発明の第１実施例によるタッチパネルは、活性領域と前記活性領域の外側の非活性領域とに区画される透明基板と、前記透明基板の一面の前記活性領域に形成される第１電極と、前記透明基板の他面の前記活性領域に形成される第２電極と、前記透明基板の一面の前記非活性領域に形成され、前記活性領域の縁に沿って形成される低誘電率膜と、を含む。
【００１６】
本発明の第１実施例によるタッチパネルの前記低誘電率膜は、有機性または無機性の素材からなることが好ましい。
【００１７】
この際、前記有機性の素材は、ＤＶＳ−ＢＣＢ（Ｄｉｖｉｎｙｌ  ｓｉｌｏｘａｎｅ  ｂｉｓｚｏｃｙｌｃｌｏｂｕｔｅｎｅ  ＢｅｎｚｏＣｙｃｌｏＢｕｔｅｎｅ）、ＰＦＣＢ（Ｐｅｒｆｌｕｏｒｏ  ｃｙｃｌｏｂｕｔａｎｅ）及びＳｉＬＫから選択される何れか一つを含むことが好ましい。
【００１８】
また、前記無機性の素材は、Ｂｌａｃｋ  Ｄｉａｍｏｎｄ、ＣＯＲＡＬ及びＡＵＲＯＲＡから選択される何れか一つを含むことが好ましい。
【００１９】
本発明の第１実施例によるタッチパネルの前記低誘電率膜の誘電定数（ｋ）は、１〜３の範囲を有することが好ましい。
【００２０】
本発明の第１実施例によるタッチパネルは、前記透明基板の一面の前記活性領域に積層される接着層をさらに含むことが好ましい。
【００２１】
本発明の第１実施例によるタッチパネルの前記低誘電率膜と前記接着層は、同一のレイヤーとして形成されることが好ましい。
【００２２】
本発明の第１実施例によるタッチパネルの前記接着層は、光学透明接着剤（Ｏｐｔｉｃａｌ  Ｃｌｅａｒ  Ａｄｈｅｓｉｖｅ；ＯＣＡ）であることが好ましい。
【００２３】
本発明の第１実施例によるタッチパネルは、前記接着層に付着されるウィンドウガラス（ｗｉｎｄｏｗ  ｇｌａｓｓ）をさらに含むことが好ましい。
【００２４】
本発明の第２実施例によるタッチパネルは、活性領域と前記活性領域の外側の非活性領域とに区画される透明基板と、前記透明基板の一面の前記活性領域に形成される第１電極及び第２電極と、前記透明基板の一面の前記非活性領域に形成され、前記活性領域の縁に沿って形成される低誘電率膜と、を含む。
【００２５】
本発明の第２実施例によるタッチパネルの前記低誘電率膜は、有機性または無機性の素材からなることが好ましい。
【００２６】
この際、前記有機性の素材は、ＤＶＳ−ＢＣＢ（Ｄｉｖｉｎｙｌ  ｓｉｌｏｘａｎｅ  ｂｉｓｚｏｃｙｌｃｌｏｂｕｔｅｎｅ  ＢｅｎｚｏＣｙｃｌｏＢｕｔｅｎｅ）、ＰＦＣＢ（Ｐｅｒｆｌｕｏｒｏ  ｃｙｃｌｏｂｕｔａｎｅ）及びＳｉＬＫから選択される何れか一つを含むことが好ましい。
【００２７】
また、前記無機性の素材は、Ｂｌａｃｋ  Ｄｉａｍｏｎｄ、ＣＯＲＡＬ及びＡＵＲＯＲＡから選択される何れか一つを含むことが好ましい。
【００２８】
本発明の第２実施例によるタッチパネルの前記低誘電率膜の誘電定数（ｋ）は、１〜３の範囲を有することが好ましい。
【００２９】
本発明の第２実施例によるタッチパネルは、前記透明基板の一面の前記活性領域に積層される接着層をさらに含むことが好ましい。
【００３０】
本発明の第２実施例によるタッチパネルの前記低誘電率膜と前記接着層は、同一のレイヤーとして形成されることが好ましい。
【００３１】
本発明の第２実施例によるタッチパネルの前記接着層は、光学透明接着剤（Ｏｐｔｉｃａｌ  Ｃｌｅａｒ  Ａｄｈｅｓｉｖｅ；ＯＣＡ）であることが好ましい。
【００３２】
本発明の第２実施例によるタッチパネルの前記透明基板は、ウィンドウガラス（ｗｉｎｄｏｗ  ｇｌａｓｓ）であることが好ましい。
【発明の効果】
【００３３】
本発明では、検知領域が減少する活性領域の縁部で低誘電率膜が形成されることにより、電極間に発生する静電容量の変化に及ぼす分極現象の影響を最小化することで、活性領域の縁部におけるタッチ感度を向上させるという利点を提供する。
【００３４】
また、本発明では、低誘電率膜が疎水性を有することにより、タッチパネル内部への水の浸潤を防止することでタッチパネルの耐久性を向上させるという利点を提供する。
【００３５】
更に、本発明では、前記利点により、電極を延長形成することで非活性領域が必要以上に拡張されるにつれてタッチパネルの大きさが増加したり、またはタッチパネルにおいて視覚的に認識される部位（ｖｉｅｗ  ａｒｅａ）が縮小される従来タッチパネルの欠点を解消することができる。
【図面の簡単な説明】
【００３６】
【図１】本発明の第１実施例によるタッチパネルの透明基板を示す平面図である。
【図２】本発明の第１実施例によるタッチパネルの断面図である。
【図３】本発明の第１実施例によるタッチパネルの断面図である。
【図４】本発明の第２実施例によるタッチパネルの断面図である。
【図５】本発明の第２実施例によるタッチパネルの断面図である。
【発明を実施するための形態】
【００３７】
本発明の目的、特定の利点及び新規の特徴は、添付図面による以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって制限されるものではない。以下、本発明を説明するにあたり、本発明の要旨を不明瞭にする可能性がある係る公知技術についての詳細な説明は省略する。
【００３８】
以下、添付図面を参照して、本発明の好ましい実施例を詳細に説明する。
【００３９】
図１は、本発明の第１実施例によるタッチパネルの透明基板を示す平面図であり、図２及び図３は、本発明の第１実施例によるタッチパネルの断面図である。
【００４０】
本実施例によるタッチパネルは、活性領域１０１と前記活性領域１０１の外側の非活性領域１０２とに区画される透明基板１００と、前記透明基板１００の一面の前記活性領域１０１に形成される第１電極１１０と、前記透明基板１００の他面の前記活性領域１０１に形成される第２電極１２０、前記透明基板１００の一面の前記非活性領域１０２に形成され、前記活性領域１０１の縁に沿って形成される低誘電率膜２１０と、を含む。
【００４１】
透明基板１００は、第１電極１１０及び第２電極１２０が形成される領域を提供する。透明基板１００は、第１電極１１０及び第２電極１２０を支持する支持力と、画像表示装置で提供する画像をユーザが認識するための透明性を備えなければならない。
【００４２】
前記支持力及び透明性を考慮すると、透明基板１００は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することが好ましいが、必ずしもこれに限定されるものではない。
【００４３】
透明基板１００の一面及び他面は、高周波処理またはプライマー（ｐｒｉｍｅｒ）処理を施すことで活性化することが好ましい。透明基板１００にこのように処理が施されることにより、透明基板１００と、第１電極１１０また第２電極１２０との間の接着力をさらに向上することができる。
【００４４】
透明基板１００は、図１に図示されたように、活性領域１０１と非活性領域１０２とに区画される。活性領域１０１は、第１電極１１０と第２電極１２０が形成される領域であり、タッチ信号を発生させる領域と言える。また、非活性領域１０２は、このような活性領域１０１の外側を占めることで活性領域１０１と区画される。
【００４５】
第１電極１１０及び第２電極１２０は、ユーザがタッチする際に信号を発生してコントローラ（不図示）でタッチ座標を認識できるようにする役割を果たす。
【００４６】
第１電極１１０は、透明基板１００の一面の活性領域１０１に形成される。第１電極１１０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）から選択される何れか一つまたはこれらの組み合わせからなる金属で形成することができる。また、第１電極１１０は、メッキ工程や蒸着工程などの方法によって、透明基板１００の一面でメッシュパターンに形成することができる。この際、第１電極１１０は、図１に図示されたように、透明基板１００において第１方向に配列されるダイヤモンドパターンと、ダイヤモンドパターンの間を連結するブリッジパターン１１１とで形成することができる。
【００４７】
第２電極１２０は、透明基板１００の他面の活性領域１０１に形成される。第２電極１２０もまた銅（Ｃｕ）、アルミニウム（Ａｌ）、金（Ａｕ）、銀（Ａｇ）、チタン（Ｔｉ）、パラジウム（Ｐｄ）、クロム（Ｃｒ）から選択される何れか一つまたはこれらの組み合わせからなる金属で形成することができ、透明基板１００の他面でメッシュパターンに形成することができる。第２電極１２０は、透明基板１００において第２方向に配列されるダイヤモンドパターンと、ダイヤモンドパターンの間を連結するブリッジパターン１２１とで形成することができ、この際、第２電極１２０を構成するダイヤモンドパターンは、第１電極１１０を構成するダイヤモンドパターンと上下に交差しない透明基板１００の他面領域を満たして形成することができる。
【００４８】
前記第１電極１１０及び第２電極１２０のうち何れか一つが検知電極であり、他の一つが駆動電極として利用することができる。
【００４９】
また、第１電極１１０及び第２電極１２０は、メッシュパターンに形成されるが、前記のように、必ずしもダイヤモンドパターンに形成されなければならないのではない。第１電極１１０及び第２電極１２０は、ダイヤモンド状以外に公知の様々な形状のパターンに形成することができることは言うまでもない。
【００５０】
低誘電率膜２１０について説明する前に、まず従来のタッチパネルについて説明すると、透明基板１００にウィンドウガラス（ｗｉｎｄｏｗ  ｇｌａｓｓ）などを付着するために接着層が形成される。接着層は、透明性を備えなければならないため、光学透明接着剤（Ｏｐｔｉｃａｌ  Ｃｌｅａｒ  Ａｄｈｅｓｉｖｅ；ＯＣＡ）を利用することが好ましい。
【００５１】
このような接着層は、活性領域１０１と非活性領域１０２を含む透明基板１００の全面で形成され、一般的に３．８〜５の誘電定数（ｋ）を有する。従って、ユーザによるタッチ時に発生する静電容量の変化は、接着層の分極（ｐｏｌａｒｉｚａｔｉｏｎ）現象によって影響を受ける。
【００５２】
さらに、活性領域１０１のエッジ部と辺部は、静電容量カップリング（ｃａｐａｃｉｔｉｖｅ  ｃｏｕｐｌｉｎｇ）現象が発生する領域、即ち、検知領域が減少する。従って、従来のタッチパネルは、活性領域１０１のエッジ部と辺部で検知領域が減少すると共に、接着層の分極による影響を受けるため、タッチ感度が低下する問題がある。
【００５３】
従って、本実施例によると、活性領域１０１のエッジ部と辺部、即ち、活性領域１０１の縁部を包む非活性領域１０２上に低誘電率膜２１０が形成される。
【００５４】
低誘電率膜２１０は、図２に図示されたように、透明基板１００の一面の非活性領域１０２に形成される。低誘電率膜２１０は、ユーザが認識する活性領域１０１ではなく非活性領域１０２に形成されるため、透明性を備える必要はない。この際、低誘電率膜２１０は、透明基板１００の活性領域１０１の縁に沿って形成される。従って、低誘電率膜２１０は、活性領域１０１のエッジ部、また、活性領域１０１の四つの辺部を包む形で透明基板１００に形成される。
【００５５】
低誘電率膜２１０は、低い誘電定数（ｋ）を有する。この際、前記接着層２２０が有する誘電定数（ｋ）より低い誘電定数（ｋ）を有する。具体的に、低誘電率膜２１０は、１〜３の範囲の誘電定数（ｋ）を有する素材からなることが好ましい。
【００５６】
低誘電率膜２１０は、前記範囲の誘電定数（ｋ）を有する有機性または無機性の素材からなることが好ましい。この際、有機性の素材は、ダウケミカル（Ｄｏｗ  Ｃｈｅｍｉｃａｌ）社製のＤＶＳ−ＢＣＢ（Ｄｉｖｉｎｙｌ  ｓｉｌｏｘａｎｅ  ｂｉｓｚｏｃｙｌｃｌｏｂｕｔｅｎｅ  ＢｅｎｚｏＣｙｃｌｏＢｕｔｅｎｅ）、ＰＦＣＢ（Ｐｅｒｆｌｕｏｒｏ  ｃｙｃｌｏｂｕｔａｎｅ）及びＳｉＬＫから選択される何れか一つを含むことが好ましい。また、無機性の素材は、Ｂｌａｃｋ  Ｄｉａｍｏｎｄ（Ａｐｐｌｉｅｄ  Ｍａｔｅｒｉａｌｓ社）、ＣＯＲＡＬ（Ｎｏｖｅｌｌｕｓ社）及びＡＵＲＯＲＡ（ＡＳＭ社）から選択される何れか一つを含むことが好ましい。このような有機性素材及び無機性の素材は、全て３．０以下の誘電定数（ｋ）を有する。
【００５７】
低誘電率膜２１０は、前記素材に限定されるものではなく、３．０以下の誘電定数（ｋ）を有する素材、例えば、フレア（ＦＬＡＲＥ）、ＦＯＸ（ｆｌｏｗａｂｌｅ  ｏｘｉｄｅ）、ＨＯＳＰ、ＪＳＲ、パリレン（Ｐａｒｙｌｅｎｅ）、ａ−Ｃ：Ｈ（Ｆ）、ポリイミド（ＰＩ）、ポリアリレーンエーテル（ｐｏｌｙ  ａｒｙｌｅｎｅ  ｅｔｈｅｒ；ＰＡＥ）、シクロブタン（ｃｙｃｌｏｂｕｔａｎｅ）誘導体、ポリシルセスキオキシサン（ｐｏｌｙｓｉｌｓｅｓｑｕｉｏｘａｎｅ）、フッ素化アモルファスカーボン（ｆｌｕｏｒｉｎａｔｅｄ  ａｍｏｒｐｈｏｕｓ  ｃａｒｂｏｎ；ＦＡＣ）などの素材もまた本実施例の低誘電率膜２１０を形成する素材として利用することができる。
【００５８】
透明基板１００の活性領域１０１の縁に、このように低い誘電定数（ｋ）を有する低誘電率膜２１０が形成されることにより、活性領域１０１の縁部では、前記低誘電率膜２１０自体の分極現象による影響が最小化されて、非活性領域１０２にまで光学透明接着剤が形成された従来のタッチパネルに比べてタッチ感度を向上することができる。
【００５９】
また、低誘電率膜２１０は、例えば、ＤＶＳ−ＢＣＢ（Ｄｉｖｉｎｙｌ  ｓｉｌｏｘａｎｅ  ｂｉｓｚｏｃｙｌｃｌｏｂｕｔｅｎｅ  ＢｅｎｚｏＣｙｃｌｏＢｕｔｅｎｅ）などのような素材を含む場合に疎水性を有するため、このような低誘電率膜２１０が活性領域１０１の縁を包む形に形成されることにより、タッチパネル内部への水の浸潤を防止する機能まで備えることができる。
【００６０】
本実施例は、透明基板１００の一面に形成される接着層２２０をさらに含むことができる。また、本実施例は、接着層２２０に付着されるウィンドウガラス（ｗｉｎｄｏｗ  ｇｌａｓｓ）３００をさらに含むことができる。
【００６１】
接着層２２０は、ウィンドウガラス３００が透明基板１００と一体化されるために透明基板１００に形成されるものであり、透明基板１００の一面の活性領域１０１上に積層形成される。接着層２２０は、前記低誘電率膜２１０の内側で形成され、この際、低誘電率膜２１０と同一のレイヤー（ｌａｙｅｒ）を構成するように形成することができる。
【００６２】
また、接着層２２０は、例えば、前記のように光学透明接着剤からなることが好ましい。
【００６３】
ウィンドウガラス３００は、タッチパネルの最外側に備えられるものであり、ユーザによるタッチが行われる構成を有する。ウィンドウガラス３００は、例えば、強化ガラスからなることが好ましい。また、前記接着層２２０に付着させることで、透明基板１００と一体化することができる。
【００６４】
以下、図面を参照して、本発明の第２実施例について詳細に説明する。但し、第１実施例と重複する説明は省略する。
【００６５】
図４及び図５は、本発明の第２実施例によるタッチパネルの断面図である。
【００６６】
本実施例は、図４に図示されたように、活性領域１０１（図１参照）と前記活性領域１０１の外側の非活性領域１０２（図１参照）とに区画される透明基板１００と、前記透明基板１００の一面の前記活性領域１０１に形成される第１電極１１０及び第２電極１２０と、前記透明基板１００の一面の前記非活性領域１０２に形成され、前記活性領域１０１の縁に沿って形成される低誘電率膜２１０と、を含む。
【００６７】
本実施例に含まれる透明基板１００は、第１実施例で説明されたウィンドウガラス３００であることが好ましい。この場合、本実施例では、ウィンドウガラスに付着される別の基板を必要としない。ウィンドウガラスとして利用される透明基板１００の一面に、第１電極１１０と第２電極１２０を共に形成させることができる。
【００６８】
第１電極１１０は、第１実施例と同様に、第１方向に配列されるダイヤモンドパターンと、ダイヤモンドパターンを連結するブリッジパターンとで構成することができる。第２電極１２０は、第１電極１１０のダイヤモンドパターンが形成された領域以外の領域上に形成されると共に、第２方向に配列されるダイヤモンドパターンと、前記ダイヤモンドパターンを連結するブリッジパターンとで構成することができる。この際、図示されてはいないが、第１電極１１０のブリッジパターンと第２電極１２０のブリッジパターンとが互いに交差する領域は、ブリッジパターン同士を絶縁するためにブリッジパターンの間に絶縁膜を形成することができる。
【００６９】
本実施例もまた、第１実施例と同様に、透明基板１００の一面の活性領域１０１の縁に沿って、非活性領域１０２上に低誘電率膜２１０が形成される。
【００７０】
また、図５に図示されたように、透明基板１００の一面の活性領域１０１に形成される光学透明接着剤のような接着層２２０をさらに含むことができ、接着層２２０と低誘電率膜２１０は同一のレイヤーとして形成することができる。
【００７１】
図５に図示されたように、接着層２２０には、透明基板１００の他面方向に配置される画像表示装置４００を付着することができる。
【００７２】
本発明は、前記のように検知領域が減少される活性領域１０１の縁部に低誘電率膜２１０を形成することにより、電極１１０、１２０間に発生する静電容量の変化に及ぼす分極現象の影響を最小化することで、活性領域１０１の縁部のタッチ感度を向上させるという利点を提供する。また、低誘電率膜２１０が疎水性を有することにより、タッチパネル内部への水の浸潤を防止することでタッチパネルの耐久性を向上させるという利点を提供する。
【００７３】
以上、本発明を具体的な実施例に基づいて詳細に説明したが、これは本発明を具体的に説明するためのものであり、本発明はこれに制限されず、該当分野における通常の知識を有する者であれば、本発明の技術的思想内にての変形や改良が可能であることは明白であろう。
【００７４】
本発明の単純な変形乃至変更はいずれも本発明の領域に属するものであり、本発明の具体的な保護範囲は添付の特許請求の範囲により明確になるであろう。
【産業上の利用可能性】
【００７５】
本発明は、電極が非活性領域にまで延長形成されなくても、タッチパネル活性領域の縁部におけるタッチ感度が向上するタッチパネルに適用可能である。
【符号の説明】
【００７６】
１００  透明基板
１０１  活性領域
１０２  非活性領域
１１０  第１電極（電極）
１１１，１２１  ブリッジパターン
１２０  第２電極（電極）
２１０  低誘電率膜
２２０  接着層
３００  ウィンドウガラス
４００  画像表示装置
【図１】
2014006860.tif 000003
【図２】
2014006860.tif 000004
【図３】
2014006860.tif 000005
【図４】
2014006860.tif 000006
【図５】
2014006860.tif 000007